(57)【要約】      （修正有）【課題】傘中棒の壊れてしまう面積が小さくなり、有効に傘中棒の強度を保証し、更に弓片露出によって人を傷つける欠点を改善し、且つ傘を開く動作が楽な直骨自動開放傘の構造を提供する。      【解決手段】傘を開く時、軽くボタンＣを押す。ボタンＣの押圧部Ｃ１の内壁が弾性凸粒２を傘中棒Ａ中に向かって押すと、弾性凸粒２が内縮し、それによって下ろくろＢの掛合孔Ｂ１の限定部品を外し、同時に、ボタンＣによって弾性凸粒が掛合を外すと同時に、傘中棒Ａを押すことなく、傘を開くのを妨害しないように、下ろくろＢの掛合孔Ｂ１の弾き面Ｂ１１は、ボタンＣに対して定位作用を具える。傘中棒Ａ内の弓片２２位置の定位端ヘッド２３は，弾性凸粒２を押して傘を開く時、弾性凸粒２を移動して傘を開くのを妨害せず、下ろくろＢは、傘開放バネの作用により、傘面を開き、傘の自動開放動作を完成する。【選択図】図４
0003130716.tif 000002
【実用新案登録請求の範囲】
【請求項１】
直骨自動開放傘の構造において、
傘中棒の下部に定位孔を設置し、一弾性凸粒は、内から外に向かって定位孔まで伸び、下ろくろの下部に設置した掛合孔に対応し、ボタンは掛合孔内で可動嵌合することを特徴とする直骨自動開放傘の構造。
【請求項２】
前記下ろくろは、その内壁下端に円弧形案内角を設置することを特徴とする請求項１記載の直骨自動開放傘の構造。
【請求項３】
前記ボタンは、その前部を押圧部とし、後部には開口形状の掛合鈎を形成することを特徴とする請求項１記載の直骨自動開放傘の構造。
【請求項４】
前記下ろくろの掛合孔は、その位置の内壁上にボタンの掛合鈎と合わせる両辺槽を形成することを特徴とする請求項１もしくは３記載の直骨自動開放傘の構造。
【請求項５】
前記下ろくろの掛合孔は、そこにボタンの押圧部に対して内部移動する弾き面を設置することを特徴とする請求項１記載の直骨自動開放傘の構造。
【請求項６】
前記弾性凸粒は、凸粒及び弓片から構成され、凸粒は弓片の一端と固定して傘中棒の定位孔外まで伸びることを特徴とする請求項１記載の直骨自動開放傘の構造。
【請求項７】
前記弓片は、定位端ヘッドによって傘中棒内で固定することを特徴とする請求項６記載の直骨自動開放傘の構造。
【請求項８】
前記下ろくろは、その上部と下部を分体成形した後、ひとつに固定することを特徴とする請求項１記載の直骨自動開放傘の構造。
【考案の詳細な説明】
【技術分野】
【０００１】
本考案は、直骨自動開放傘の構造に関するものである。
【背景技術】
【０００２】
傘具は、雨、風を避ける機能を具え、人々の生活必需品である。今日、傘具は、構造に基づき、折畳傘と直骨傘に分けられ、機能では、自動開放傘、手動開放傘に分けられる。自動開放傘は片手操作で傘が開くという機能を具え、便利である。従来の直骨自動開放傘は、主に傘具の下ろくろと中ろくろの間に傘開放バネを設置し、傘開放時に下ろくろのはじきを緩め、傘開放バネの復位作用によって，下ろくろと中ろくろが中棒に沿って上移動し、同時に傘面を広げて傘が自動開放する。図１に示すとおり、このはじきの元結構は、傘中棒Ａ’の下部に長方形の開槽Ａ１’を成形し、弾性弓片２’をこの開槽Ａ１’内に入れる。弾性弓片２’上部には支持部２１’が成形され、また下部には押圧部２２’が成形され、下ろくろＢ’下部に成形した掛合孔Ｂ１’に対応する。傘を閉じ、下ろくろＢ’が傘中棒Ａ’の下部に至った時、弾性弓片２’の支持部２１’によって、下ろくろＢ’の掛合孔Ｂ１’上に対応し、そしてはじきが固定される。また傘を開く時には、弾性弓片２’の押圧部２２’を押すと、同時に弾性弓片２’が押されて傘中棒に向かって内縮し、支持部２１’は下ろくろＢ’のはじきに対して緩み、傘が開く。
【０００３】
上述のはじきの構造から、傘中棒Ａ’には長方形の開槽Ａ１’を成形することが必要であることがわかる。開設位置が大きい場合、傘中棒Ａ’の強度を落とし、傘中棒Ａ’の使用寿命を縮める。他に弾性弓片２’がハンドルに近いため、外に露出し、弾性弓片２’の凸起もしくは先端が人を傷つけることがある。
【考案の開示】
【考案が解決しようとする課題】
【０００４】
解決しようとする問題点は、傘中棒の槽の大きさにより、停止強度を落とし、傘中棒の使用寿命を縮め、また弾性弓片が露出することによって人を傷つけてしまう点である。
本考案の目的は傘中棒の使用寿命を延ばし、同時に下ろくろの定位性を高め、傘を楽に拡げる直骨傘自動開傘結構を提供することにある。
【課題を解決するための手段】
【０００５】
本考案は、傘中棒の下部に定位孔を設置し、弾性凸粒は内から外方向に定位孔内延びる。また下ろくろに対応する下部には掛合孔を設置し、ボタンは掛合孔内で可動嵌合する。下ろくろ内壁下端には円弧形案内角を設置する。ボタン前部は押圧部とし、後部は開口形状の掛合鈎とする。下ろくろの掛合孔位置の内壁上にはボタンの掛合鈎と合わさる両辺槽が成形される。下ろくろの掛合孔辺上には、ボタンの押圧部に対して内部移動する弾き面を設置する。
弾性凸粒は、凸粒及び弓片から構成され、凸粒は、弓片の一端と固定して傘中棒の定位孔外まで伸びる。弓片定位端ヘッドにより傘中棒内で固定する。下ろくろの上部と下部は、分体で成型した後、ひとつに固定することを最も主要な特徴とする。
【０００６】
上述の目的を実現するため、本考案は傘中棒の下部に定位孔を設置し、弾性凸粒は内から外方向に定位孔内延びる。また下ろくろに対応する下部には掛合孔を設置し、ボタンは掛合孔内で可動嵌合する。
下ろくろ内壁下端には円弧形案内角を設置する。
ボタン前部は押圧部とし、後部は開口形状の掛合鈎とする。
下ろくろの掛合孔位置の内壁上にはボタンの掛合鈎と合わさる両辺槽が成形される。
下ろくろの掛合孔辺上には、ボタンの押圧部に対して内部移動する弾き面を設置する。
弾性凸粒は、凸粒及び弓片から構成され、凸粒は、弓片の一端と固定して傘中棒の定位孔外まで伸びる。弓片定位端ヘッドにより傘中棒内で固定する。
下ろくろの上部と下部は、分体で成型した後、ひとつに固定する。
【考案の効果】
【０００７】
本考案の直骨自動開放傘の構造は、傘中棒の壊れてしまう面積が小さくなり、有効に傘中棒の強度を保証する。更に弓片露出によって人を傷つける欠点を改善し、更に傘を開く動作を楽にするという利点がある。
上述の方案を採用した後、本考案が元の直骨傘の弾性弓片の定位方式を変更し、傘中棒上に孔を開け、弾性凸粒を下ろくろの掛合孔に掛合し、下ろくろに対して定位する。これによって傘中棒が壊れる面積が小さくなり、有効に傘中棒の強度を高める。更に弓片が人を傷つけるのを防止する。同時にボタンで弾性凸粒を押し、これによって下ろくろの位置限定を緩め、傘を楽に開放する。
【考案を実施するための最良の形態】
【０００８】
図３から図５に示すとおり、本考案の直骨自動開放傘結構は、主に傘中棒Ａ、下ろくろＢ、ボタンＣ及び弾き部品裝置Ｄを含む。
【０００９】
本考案は、傘中棒Ａの下部に定位孔１を設置する。弾き部品装置Ｄは、凸粒２１と“Ｖ”型弓片２２から構成され、弾性凸粒２，凸粒２１は弓片２２の一端に固定し、傘中棒Ａ中は内から外に向かい、定位孔Ａ１内まで伸びる。同時に弓片２２は、定位端ヘッド２３によって傘中棒Ａ中で固定する。
【００１０】
下ろくろＢ上部には各傘骨を連接し、その下部は弾性凸粒２対応位置に掛合孔Ｂ１を設置する。ボタンＣ前部は、押圧部Ｃ１で、後部には開口形状の掛合鈎Ｃ２とする。この掛合鈎Ｃ２は下ろくろBの掛合孔Ｂ１に対応する位置の内壁上にボタンＣの掛合鈎Ｃ２と合わさる両辺槽Ｂ２が形成される。このボタンＣは、掛合孔Ｂ１箇所で可動嵌合する。また、下ろくろＢの掛合孔Ｂ１辺上ではボタンＣの押圧部Ｃ１に対して更に内部移動する弾き面Ｂ１１を設置する。同時に下ろくろＢ内壁の下端面には円弧形案内角Ｂ３を設置する。下ろくろＢの上下両部分には分体成型後、ひとつに連接し、その後両部分を一体にする。
【００１１】
組立時、先ずボタンＣは取り付けない。上、下ろくろＢ、傘骨組と傘中棒Ａの組立が完成した後、続いて下ろくろＢ掛合孔Ｂ１の両辺槽Ｂ２に沿ってボタンＣを設置し、ボタンＣ両辺の掛合鈎Ｃ２を傘中棒Ａに掛合すると、組立が完成する。ボタンＣの弾力は、弾性凸粒２に依る。動作時，下ろくろＢが傘中棒Ａ下部に移動し、その下端面の円弧形案内角Ｂ３で弾性凸粒２をスムーズに下ろくろB内腔まで押し、内壁に沿って、掛合孔Ｂ１箇所まで来た時、弾性凸粒２がちょうど掛合孔Ｂ１箇所で掛合され、下ろくろＢは傘中棒Ａ上で停止する。同時に弾性凸粒２の弾力によってボタンＣ面を下ろくろＢ面より高くしてボタンＣを押しやすくする。傘を開く時、軽くボタンＣを押す。ボタンＣの押圧部Ｃ１の内壁が弾性凸粒２を傘中棒Ａ中に向かって押すと、弾性凸粒２が内縮し、それによって下ろくろＢの掛合孔Ｂ１の限定部品を外し、同時に、ボタンＣによって弾性凸粒が掛合を外すと同時に、傘中棒Ａを押すことなく、傘を開くのを妨害しないように、下ろくろＢの掛合孔Ｂ１の弾き面Ｂ１１は、ボタンＣに対して定位作用を具える。傘中棒A内の弓片２２位置の定位端ヘッド２３は，弾性凸粒２を押して傘を開く時、弾性凸粒２を移動して傘を開くのを妨害せず、下ろくろＢは、傘開放バネの作用により、傘面を開き、傘の自動開放動作を完成する。
【００１２】
本考案は、傘中棒Ａ上に孔を開け、弾性凸粒２で下ろくろＢの掛合孔Ｂ１に掛合し、下ろくろＢに対して位置限定する、これにより、傘中棒Ａの壊れてしまう面積が小さくなり、有効に傘中棒Ａの強度を保証する。更に弓片露出によって人を傷つける欠点を改善し、同時にボタンCで弾性凸粒２を押し、下ろくろＢの定位を緩めるので、傘を開く動作が楽になる。
【図面の簡単な説明】
【００１３】
【図１】従来品の指示図である。
【図２】従来品の傘を閉じた指示図である。
【図３】本考案の立体分解図である。
【図４】本考案の組立断面図である。
【図５】本考案の傘を閉じた外観指示図である。
【符号の説明】
【００１４】
従来品
Ａ´      傘中棒
Ａ´１    開槽
２´      弾性弓片
２１´      支持部
２２´      押圧部
Ｂ´      下ろくろ
Ｂ´１    掛合孔
本考案
Ａ        傘中棒
Ｂ        下ろくろ
Ｂ１      掛合孔
Ｂ２      両辺槽
Ｂ３      円弧形案内角
Ｂ１１    弾き面
Ｃ        ボタン
Ｃ１      押圧部
Ｃ２      掛合鈎
Ｄ        弾き部品装置
１        定位孔
２        弾性凸粒
２１        凸粒
２２        弓片
２３        定位端ヘッド
【図１】
0003130716.tif 000003
【図２】
0003130716.tif 000004
【図３】
0003130716.tif 000005
【図４】
0003130716.tif 000006
【図５】
0003130716.tif 000007